(57)【要約】【課題】簡単な構造で充分な強度を実現しながら、連棟しているアーチ状ハウスの間の谷柱の間隔を広くする。【解決手段】連棟農業用のハウスは、骨組１１の外側に透光性フィルム１２を張設してなる複数列のアーチ状ハウス１０を連棟している。骨組１１は、複数のアーチパイプ１と、アーチパイプ１の両端を連結してなる桁２と、桁２に所定の間隔で連結してなる柱３とを備える。桁２は、アーチ状ハウス１０の間の谷桁２Ａと外側の軒桁２Ｂとからなる。柱３は、アーチ状ハウス１０の間の谷柱３Ａと外側の側柱３Ｂとからなる。アーチパイプ１は、外側アーチパイプ１Ａと内側アーチパイプ１Ｂからなる。谷桁２Ａは、固定プレート２１を垂直姿勢に固定して、外側アーチパイプ１Ａ及び内側アーチパイプ１Ｂを連結している。谷柱３Ａの上端は、固定プレート２１の間で谷桁２Ａに連結されて、隣接する谷柱３Ａの間隔をアーチパイプ１の間隔よりも広くしている。【選択図】図３
2014045681.tif 000002
【特許請求の範囲】
【請求項１】
複数列のアーチ状ハウス(10)を内部で農業用機械を通過できるように連棟してなる連棟農業用のハウスであって、
前記アーチ状ハウス(10)は、骨組(11)の外側に太陽光線を透過できる透光性フィルム(12)を張設しており、
前記骨組(11)は、パイプを中央凸のアーチに湾曲してなる複数のアーチパイプ(1)と、複数のアーチパイプ(1)の両端を連結して、複数のアーチパイプ(1)を所定の間隔で互いに平行に配列してなる桁(2)と、この桁(2)に所定の間隔で連結してなる柱(3)とを備え、
前記桁(2)は連棟してなるアーチ状ハウス(10)の間に配置してなる谷桁(2A)と、アーチ状ハウス(10)の外側に配置してなる軒桁(2B)とからなり、
前記柱(3)は、連棟してなるアーチ状ハウス(10)の間に配置してなる谷柱(3A)と、アーチ状ハウス(10)の外側に配置してなる側柱(3B)とからなり、
さらに、前記アーチパイプ(1)は、互いに平行なアーチ状に湾曲され、かつ内側と外側に離して配置され、なおかつ互いに連結してなる外側アーチパイプ(1A)と内側アーチパイプ(1B)からなる２連アーチパイプの連結構造で、
前記谷桁(2A)は、前記アーチパイプ(1)の一端を連結する固定プレート(21)を垂直姿勢に固定して、この固定プレート(21)に、前記外側アーチパイプ(1A)及び内側アーチパイプ(1B)を連結しており、
さらに、前記谷柱(3A)の上端は、固定プレート(21)の間で前記谷桁(2A)に連結されて、隣接する谷柱(3A)の間隔を前記アーチパイプ(1)の間隔よりも広くしており、
さらにまた、連棟してなる前記アーチ状ハウス(10)の間には樋(9)を設けて、樋(9)を前記谷桁(2A)の上に載せて固定してなる連棟農業用のハウス。
【請求項２】
前記アーチパイプ(1)の端部を谷桁(2A)に連結する谷部の連結ジョイント(4)を備え、
前記谷部の連結ジョイント(4)が、外側アーチパイプ(1A)と内側アーチパイプ(1B)の端部を挿入して連結する連結パイプ(22)と、この連結パイプ(22)の両側にあって連結パイプ(22)に連結してなる一対の固定プレート(21)とを備え、
前記谷部の連結ジョイント(4)の固定プレート(21)が前記谷桁(2A)に連結され、
前記連結パイプ(22)に外側アーチパイプ(1A)と内側アーチパイプ(1B)の端部が挿入されて、外側アーチパイプ(1A)と内側アーチパイプ(1B)が前記谷部の連結ジョイント(4)を介して前記谷桁(2A)に連結してなる請求項１に記載される連棟農業用のハウス。
【請求項３】
前記谷桁(2A)の下面に第１の連結プレート(23)を溶接して固定しており、
前記固定プレート(21)の上縁には第２の連結プレート(24)を溶接して固定しており、
第１の連結プレート(23)と第２の連結プレート(24)が積層、ネジ止めされて、前記谷桁(2A)が前記固定プレート(21)に連結されてなる請求項２に記載される連棟農業用のハウス。
【請求項４】
前記樋(9)の両側の側壁(9B)が、前記固定プレート(21)に連結してなる外側アーチパイプ(1A)に沿う形状に傾斜してなる請求項１ないし３のいずれかに記載される連棟農業用のハウス。
【請求項５】
前記アーチパイプ(1)の一端を軒桁(2B)に連結する軒部の連結ジョイント(5)を備え、
前記軒部の連結ジョイント(5)が、外側アーチパイプ(1A)と内側アーチパイプ(1B)の端部を挿入して連結する片側連結パイプ(32)と、この片側連結パイプ(32)の両側にあって片側連結パイプ(32)に連結してなる一対の片側固定プレート(31)とを備え、
前記軒部の連結ジョイント(5)の片側固定プレート(31)が前記軒桁(2B)に連結され、
前記片側連結パイプ(32)に外側アーチパイプ(1A)と内側アーチパイプ(1B)の端部が挿入されて、外側アーチパイプ(1A)と内側アーチパイプ(1B)が前記軒部の連結ジョイント(5)を介して前記軒桁(2B)に連結してなる請求項請求項１ないし４のいずれかに記載される連棟農業用のハウス。
【請求項６】
前記片側固定プレート(31)を介してアーチパイプ(1)を連棟してなる軒桁(2B)に側柱(3B)の上端を固定しており、側柱(3B)の間隔よりも谷柱(3A)の間隔を広くしてなる請求項１ないし５のいずれかに記載される連棟農業用のハウス。
【請求項７】
前記柱(3)の下端に支持プレート(42)を水平姿勢で固定しており、前記支持プレート(42)を地面(50)に埋設して、前記柱(3)の下端を地面(50)に固定してなる請求項１ないし６のいずれかに記載される連棟農業用のハウス。
【発明の詳細な説明】
【技術分野】
【０００１】
本発明は、アーチ状ハウスを複数列に連棟するように配置してなる農業用のハウスに関し、とくに、連棟してなるアーチ状ハウスの内部を耕耘機やトラクターなどの農業用機械が自由に移動できるようにしてなる連棟農業用のハウスに関する。
【背景技術】
【０００２】
複数列のアーチ状ハウスを連棟してなる農業用のハウスは開発されている。（特許文献１参照）
この農業用のハウスは、図１に示すように、２棟のアーチ状ハウス９０を連棟している。連棟する各々のアーチ状ハウス９０の骨組は、両端部を直線状の柱部９３とし、その中間を中央凸のアーチに湾曲してなるアーチパイプ９１を一定の間隔で互いに平行に配列している。さらに、連棟しているアーチ状ハウス９０の間で直線状の柱部９３の間には、図２に示すように、通路用の梁９４を設けて、この梁９４に通路用のアーチパイプ９１’を連結している。
【先行技術文献】
【特許文献】
【０００３】
【特許文献１】特開２００８−２６３８８３号公報
【発明の概要】
【発明が解決しようとする課題】
【０００４】
以上の農業用のハウスは、連棟しているアーチ状ハウス９０の間に設けている直線状の柱部９３の間隔を広くして、この間を農業用機械が通過して移動できるように、柱部９３の間に連結用の梁９４を配置し、この梁９４の両端部を通路用の柱９５で支持して、梁９４には通路用のアーチパイプ９１’を連結している。この農業用のハウスは、独特の構造で、アーチ状ハウスの間に設けられる柱部の間隔を広くすることはできるが、骨組の構造が相当に複雑で施行に手間がかかる欠点がある。
【０００５】
本発明は、この欠点を解決することを目的に開発されたものである。本発明の重要な目的は、簡単な構造とし、かつ充分な強度を実現しながら、連棟しているアーチ状ハウスの間の谷柱の間隔を広くして、農業用機械が谷柱の間を通過して自由に移動できる構造にできる連棟農業用のハウスを提供することにある。
【０００６】
また、本発明の他の大切な目的は、連棟しているアーチ状ハウスの谷間に設けられる樋を簡単かつ容易に、しかも理想的な状態で配置できる連棟農業用のハウスを提供することにある。
【課題を解決するための手段及び発明の効果】
【０００７】
本発明の連棟農業用のハウスは、複数列のアーチ状ハウス１０を、内部で農業用機械を通過できるように連棟している。アーチ状ハウス１０は、骨組１１の外側に太陽光線を透過できる透光性フィルム１２を張設している。骨組１１は、パイプを中央凸のアーチに湾曲してなる複数のアーチパイプ１と、複数のアーチパイプ１の両端を連結して、複数のアーチパイプ１を所定の間隔で互いに平行に配列してなる桁２と、この桁２に所定の間隔で連結してなる柱３とを備えている。桁２は、連棟してなるアーチ状ハウス１０の間に配置してなる谷桁２Ａと、アーチ状ハウス１０の外側に配置してなる軒桁２Ｂとからなる。柱３は、連棟してなるアーチ状ハウス１０の間に配置してなる谷柱３Ａと、アーチ状ハウス１０の外側に配置してなる側柱３Ｂとからなる。さらに、アーチパイプ１は、互いに平行なアーチ状に湾曲され、かつ内側と外側に離して配置され、なおかつ互いに連結してなる外側アーチパイプ１Ａと内側アーチパイプ１Ｂからなる２連アーチパイプの連結構造としている。谷桁２Ａは、アーチパイプ１の一端を連結する固定プレート２１を垂直姿勢に固定して、この固定プレート２１に、前記外側アーチパイプ１Ａ及び内側アーチパイプ１Ｂを連結している。さらに、谷柱３Ａの上端は、固定プレート２１の間で谷桁２Ａに連結されて、隣接する谷柱３Ａの間隔をアーチパイプ１の間隔よりも広くしている。さらにまた、連棟してなるアーチ状ハウス１０の間には樋９を設けて、樋９を谷桁２Ａの上に載せて固定している。
【０００８】
以上の連棟農業用のハウスは、極めて簡単な構造とし、かつ充分な強度を実現しながら、連棟しているアーチ状ハウスの間の谷柱の間隔を広くして、農業用機械が谷柱の間を通過して自由に移動できる構造にできる特徴がある。それは、以上の連棟農業用のハウスがアーチパイプを、互いに平行なアーチ状に湾曲して、内側と外側に離して連棟状態で配置してなる外側アーチパイプと内側アーチパイプからなる２連アーチパイプの連結構造として強靭な構造とし、さらに、アーチパイプの一端を連結している谷桁には、固定プレートを垂直姿勢に固定して、この固定プレートに、外側アーチパイプと内側アーチパイプとを固定し、さらに、連棟するアーチ状ハウスの間に設けられる谷柱は、固定プレートやアーチパイプに連棟するのではなく、固定プレートの間で谷桁に連結して、隣接する谷柱の間隔をアーチパイプの間隔よりも広くしているからである。すなわち、２連アーチパイプの連結構造として、各アーチパイプの強度を向上し、さらに、このアーチパイプの連結部に谷柱を連結するのでなく、谷柱をアーチパイプの連結部からずれた位置に連結する独特の構造で、充分な強度を実現しながら、谷柱の上端を簡単な構造で谷桁に連結して、組み立て施工を簡素化する。とくに、谷柱の上端を、アーチパイプと谷桁との連結部分には連結せず、アーチパイプを谷桁に連結する固定プレートの間に配置して、すなわち、固定プレートから離れた位置で谷桁に連結する構造によって、アーチパイプと谷桁と谷柱の連結部の構造を簡素化して、谷柱を谷桁に簡単に連結できる特徴を実現する。
【０００９】
さらにまた、以上の連棟農業用のハウスは、連棟するアーチ状ハウスの間に樋を設け、この樋を谷桁の上に載せて固定するので、樋を簡単な構造で理想的な状態で配置できる。また、樋を谷桁で支持するので、充分な強度のない材料、たとえば、薄い金属板やプラスチックで製作しながら、長期間にわたって樋の変形や損傷を防止し、樋でもって雨水を好ましい状態で排水できる特徴もある。
【００１０】
本発明の連棟農業用のハウスは、アーチパイプ１の端部を谷桁２Ａに連結する谷部の連結ジョイント４を備え、谷部の連結ジョイント４が、外側アーチパイプ１Ａと内側アーチパイプ１Ｂの端部を挿入して連結する連結パイプ２２と、この連結パイプ２２の両側にあって連結パイプ２２に連結してなる一対の固定プレート２１とを備えて、谷部の連結ジョイント４の固定プレート２１を谷桁２Ａに連結し、連結パイプ２２に外側アーチパイプ１Ａと内側アーチパイプ１Ｂの端部を挿入して、外側アーチパイプ１Ａと内側アーチパイプ１Ｂを谷部の連結ジョイント４を介して谷桁２Ａに連結することができる。
以上の連棟農業用のハウスは、アーチパイプの端部を簡単かつ強固に谷桁に連結できる特徴がある。
【００１１】
本発明の連棟農業用のハウスは、谷桁２Ａの下面に第１の連結プレート２３を溶接して固定し、固定プレート２１の上縁には第２の連結プレート２４を溶接して固定して、第１の連結プレート２３と第２の連結プレート２４を積層、ネジ止めして、谷桁２Ａを固定プレート２１に連結することができる。
以上の連棟農業用のハウスは、谷桁と固定プレートとを充分な強度で連結できる。
【００１２】
本発明の連棟農業用のハウスは、樋９の両側の側壁９Ｂを、固定プレート２１に連結してなる外側アーチパイプ１Ａに沿う形状に傾斜することができる。
以上の連棟農業用のハウスは、連棟するアーチ状ハウスの谷間に設けた樋に、雨水を好ましい状態で流下して排水できる。
【００１３】
本発明の連棟農業用のハウスは、アーチパイプ１の一端を軒桁２Ｂに連結する軒部の連結ジョイント５を備え、軒部の連結ジョイント５が、外側アーチパイプ１Ａと内側アーチパイプ１Ｂの端部を挿入して連結する片側連結パイプ３２と、この片側連結パイプ３２の両側にあって片側連結パイプ３２に連結してなる一対の片側固定プレート３１とを備えて、軒部の連結ジョイント５の片側固定プレート３１を軒桁２Ｂに連結し、片側連結パイプ３２に外側アーチパイプ１Ａと内側アーチパイプ１Ｂの端部を挿入して、外側アーチパイプ１Ａと内側アーチパイプ１Ｂを、軒部の連結ジョイント５を介して軒桁２Ｂに連結することができる。
以上の連棟農業用のハウスは、アーチパイプの一端を簡単かつ強固に軒桁に連結できる特徴がある。
【００１４】
本発明の連棟農業用のハウスは、片側固定プレート３１を介してアーチパイプ１を連棟してなる軒桁２Ｂに側柱３Ｂの上端を固定して、側柱３Ｂの間隔よりも谷柱３Ａの間隔を広くすることができる。
以上の連棟農業用のハウスは、側柱を簡単かつ容易に、軒桁に固定できる特徴がある。
【００１５】
本発明の連棟農業用のハウスは、柱３の下端に支持プレート４２を水平姿勢で固定すると共に、この支持プレート４２を地面５０に埋設して、柱３の下端を地面５０に固定することができる。
以上の連棟農業用のハウスは、柱の下端に支持プレートを固定しているので、柱の下端にかかる下向きの圧力を小さくして、連棟農業用のハウスの重みで柱が地面に沈み込むのを有効に防止できる。また、柱の下端に固定された支持プレートを地面に埋設することにより、地面に対する柱の引き抜き強度を強くして、柱が地面から抜ける方向に持ち上げられるのを確実に阻止して、連棟農業用のハウスが強風等により浮き上がるのを有効に防止できる。
【図面の簡単な説明】
【００１６】
【図１】従来の農業用のハウスの斜視図である。
【図２】図１に示す農業用のハウスの通路を示す正面図である。
【図３】本発明の一実施の形態にかかる連棟農業用のハウスの斜視図である。
【図４】図３に示す連棟農業用のハウスの一部拡大正面図である。
【図５】図３に示す連棟農業用のハウスの一部拡大側面図である。
【図６】図３に示す連棟農業用のハウスの谷部を示す一部拡大側面図である。
【図７】図４に示す連棟農業用のハウスの谷部の連結ジョイントを示す断面図である。
【図８】谷部の連結ジョイントを示す斜視図である。
【図９】図４に示す連棟農業用のハウスの軒部の連結ジョイントを示す断面図である。
【図１０】軒部の連結ジョイントを示す斜視図である。
【図１１】図４に示す連棟農業用のハウスの谷部を示す拡大図である。
【発明を実施するための形態】
【００１７】
以下、本発明の実施例を図面に基づいて説明する。ただし、以下に示す実施例は、本発明の技術思想を具体化するための連棟農業用のハウスを例示するものであって、本発明は連棟農業用のハウスを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図３ないし図６に示す連棟農業用のハウスは、２棟のアーチ状ハウス１０を内部で作業車を通過できるように連棟している。これ等の図の連棟農業用のハウスは、２棟のアーチ状ハウス１０を連棟しているが、本発明の連棟農業用のハウスは、３棟以上のアーチ状ハウスを連棟することもできる。
【００１９】
アーチ状ハウス１０は、骨組１１の外側に太陽光線を透過できる透光性フィルム１２を張設している。骨組１１は、パイプを中央凸のアーチに湾曲している複数のアーチパイプ１と、複数のアーチパイプ１の両端を連結して、複数のアーチパイプ１を所定の間隔で互いに平行に配列している桁２と、この桁２に所定の間隔で連結している柱３とを備える。
【００２０】
アーチパイプ１は、図４に示すように、外側アーチパイプ１Ａと内側アーチパイプ１Ｂからなる２連アーチパイプ１の連結構造である。外側アーチパイプ１Ａと内側アーチパイプ１Ｂは、金属パイプを互いに平行なアーチ状に湾曲して、外側アーチパイプ１Ａを外側に、内側アーチパイプ１Ｂを内側に離して配置している。外側アーチパイプ１Ａは、図３〜図５に示すように、これと交差する複数の上側連結パイプ１３を所定の間隔で連結しており、この上側連結パイプ１３を介して、互いに隣接する外側アーチパイプ１Ａ同士を連結している。外側アーチパイプ１Ａと上側連結パイプ１３は、互いの交点を連結具１４で連結している。さらに、内側アーチパイプ１Ｂは、連結バー１５を介して上側連結パイプ１３に連結している。連結バー１５は、図５に示すように、側面視がＶ字状の金属プレートで、図４に示すように、中間部に内側アーチパイプ１Ｂを連結して、両側の先端部に上側連結パイプ１３を連結している。すなわち、外側アーチパイプ１Ａと内側アーチパイプ１Ｂは、上側連結パイプ１３と連結バー１５を介して互いに連結されている。さらに、図４のアーチパイプ１は、３本の補強パイプ１８を、連結具（図示せず）を介して上側連結パイプ１３に固定して補強している。補強パイプ１８は、互いに交差する長さで、交差部分をジョイント１９を介して内側アーチパイプ１Ｂに連結している。
【００２１】
アーチパイプ１は、谷部の連結ジョイント４を介して谷桁２Ａに連結され、また、軒部の連結ジョイント５を介して軒桁２Ｂに連結される。図３と図４の連棟農業用のハウスは、２棟のアーチ状ハウス１０を連棟するので、アーチパイプ１は一端を谷部の連結ジョイント４を介して谷桁２Ａに、他端を軒部の連結ジョイント５を介して軒桁２Ｂに連結している。図示しないが、３棟以上のアーチ状ハウスを連棟する連棟農業用のハウスは、両側のアーチ状ハウスは、アーチパイプの一端を谷部の連結ジョイントを介して谷桁に、他端を軒部の連結ジョイントを介して軒桁に連結し、中間のアーチ状ハウスは、両端を谷部の連結ジョイントを介して谷桁に連結する。
【００２２】
谷部の連結ジョイント４は、図７と図８に示すように、外側アーチパイプ１Ａと内側アーチパイプ１Ｂの端部を挿入して連結する連結パイプ２２と、この連結パイプ２２の両側にあって連結パイプ２２に連結している一対の固定プレート２１とを備える。谷部の連結ジョイント４は、両側に外側アーチパイプ１Ａと内側アーチパイプ１Ｂとを連結するので、４本の連結パイプ２２を一対の固定プレート２１の間に挟んで、固定プレート２１に溶接して連結している。ただし、谷部の連結ジョイントは、一対の固定プレートで連結パイプを挟み、ネジ止めして連結パイプと固定プレートとを連結することもできる。
【００２３】
連結パイプ２２は金属パイプで、外側アーチパイプ１Ａと内側アーチパイプ１Ｂを連結する上部を、アーチパイプ１の端部を挿入できる方向に延びる形状とし、下部は下方に垂直方向に延びる形状として、中間を折曲加工している。連結パイプ２２は、アーチパイプ１を挿入して連結できるように、内形をアーチパイプ１の外形よりもわずかに大きくしている。
【００２４】
固定プレート２１は金属板で、上縁と下縁の中央部を水平面内に位置する形状とし、下縁の両側を外側アーチパイプ１Ａを挿入する連結パイプ２２に沿う傾斜形状として、内側に連結パイプ２２を挟んで固定している。
【００２５】
さらに、谷部の連結ジョイント４は、図７に示すように、ボルト２５とナット２６を介して固定プレート２１を谷桁２Ａに連結している。図７は、谷部の連結ジョイント４と谷桁２Ａの連結部を示している。この図の連結構造では、谷部の連結ジョイント４を谷桁２Ａに連結するために、Ｃ形鋼の谷桁２Ａは、下面に第１の連結プレート２３を溶接して固定しており、谷部の連結ジョイント４は、固定プレート２１の上縁に第２の連結プレート２４を溶接して固定している。第２の連結プレート２４は、外側アーチパイプ１Ａを連結する連結パイプ２２の間であって、固定プレート２１の上縁の中央部に溶接して固定されている。谷桁２Ａと谷部の連結ジョイント４は、第１の連結プレート２３と第２の連結プレート２４とを積層し、接続プラグをボルト２５とナット２６で固定し、谷部の連結ジョイント４の固定プレート２１を谷桁２Ａに連結している。
【００２６】
以上の谷部の連結ジョイント４は、連結パイプ２２に外側アーチパイプ１Ａと内側アーチパイプ１Ｂの端部を挿入して、外側アーチパイプ１Ａと内側アーチパイプ１Ｂを連結し、固定プレート２１を谷桁２Ａにボルト２５とナット２６で連結して、外側アーチパイプ１Ａと内側アーチパイプ１Ｂを谷桁２Ａに連結する。
【００２７】
軒部の連結ジョイント５は、図９と図１０に示すように、外側アーチパイプ１Ａと内側アーチパイプ１Ｂの端部を挿入して連結する片側連結パイプ３２と、この片側連結パイプ３２の両側にあって片側連結パイプ３２に連結している一対の片側固定プレート３１とを備える。軒部の連結ジョイント５は、片側に外側アーチパイプ１Ａと内側アーチパイプ１Ｂとを連結するので、２本の片側連結パイプ３２を一対の片側固定プレート３１の間に挟んで、片側固定プレート３１に溶接して連結している。ただし、軒部の連結ジョイントは、前述した谷部の連結ジョイントと同じように、一対の片側固定プレートで片側連結パイプを挟んみ、ネジ止めして片側連結パイプと片側固定プレートとを連結することもできる。
【００２８】
片側連結パイプ３２も金属パイプで、外側アーチパイプ１Ａと内側アーチパイプ１Ｂを連結する上部を、アーチパイプ１の端部を挿入できる方向に延びる形状とし、下部は下方に垂直方向に延びる形状として、パイプの中間をく字状に折曲加工している。片側連結パイプ３２も、アーチパイプ１を挿入して連結できるように、内形をアーチパイプ１の外形よりもわずかに大きくしている。
【００２９】
片側固定プレート３１も金属板で、上縁と下縁片側を水平面内に位置する形状とし、下縁の片側を外側アーチパイプ１Ａを挿入する片側連結パイプ３２に沿う傾斜形状として、内側に片側連結パイプ３２を挟んで固定している。
【００３０】
軒部の連結ジョイント５は、図９に示すように、ボルト３５とナット３６を介して片側固定プレート３１を軒桁２Ｂに連結している。軒部の連結ジョイント５を軒桁２Ｂに連結するために、軒部の連結ジョイント５は、片側固定プレート３１の下縁に第３の連結プレート３３を溶接して固定している。第３の連結プレート３３は、外側アーチパイプ１Ａを連結する片側連結パイプ３２の内側にあって、片側固定プレート３１の下縁の片側に溶接して固定される。この軒部の連結ジョイント５は、第３の連結プレート３３と角パイプである軒桁２Ｂを貫通するボルト３５を介して、軒桁２Ｂに連結される。
【００３１】
図９に示す軒部の連結ジョイント５は、外側アーチパイプ１Ａを連結する片側連結パイプ３２の下端部にサイドパイプ６を連結している。したがって、外側アーチパイプ１Ａを連結する片側連結パイプ３２の下端部は垂直姿勢としている。サイドパイプ６は、図５に示すように、下端を地中に埋設して固定される。互いに隣接するサイドパイプ６の間に位置するように、側柱３Ｂが軒桁２Ｂに固定される。この連棟農業用のハウスは、サイドパイプ６と側柱３Ｂの両方を地中に埋設して固定するので、強靭な構造にできる。側柱３Ｂは、サイドパイプ６の間でその中央部に位置して、その上端を軒桁２Ｂに連結するので、サイドパイプ６の間隔と側柱３Ｂの間隔は同じ間隔となる。
【００３２】
さらに、図５と図９の連棟農業用のハウスは、各サイドパイプ６を水平バー１６で連結している。水平バー１６は、透光性フィルム１２を固定する連結溝１６Ａを有する形状で、サイドパイプ６の外側にあって、サイドパイプ６との交点を連結金具３７でサイドパイプ６に連結している。この水平バー１６は、図９に示すように、透光性フィルム１２を連結溝１６Ａに案内する状態で、連結溝１６Ａに挟着バー４１が圧入されて、透光性フィルム１２を張設された状態に固定する。さらに、以上の連棟農業用のハウスは、各側柱３Ｂを水平姿勢の外側連結パイプ１７で連結している。外側連結パイプ１７は、図５と図９に示すように、その両端をＬ金具３８を介して側柱３Ｂに連結すると共に、中間を十字状の連結具３９を介してサイドパイプ６に連結している。
【００３３】
以上の軒部の連結ジョイント５は、片側連結パイプ３２に外側アーチパイプ１Ａと内側アーチパイプ１Ｂの端部を挿入して、外側アーチパイプ１Ａと内側アーチパイプ１Ｂを連結し、片側固定プレート３１を軒桁２Ｂにボルト３５とナット３６で連結して、外側アーチパイプ１Ａと内側アーチパイプ１Ｂを軒桁２Ｂに連結する。さらに、外側アーチパイプ１Ａを連結する片側連結パイプ３２の下端部にはサイドパイプ６を連結して、サイドパイプ６の下端部を地中に埋設している。
【００３４】
外側アーチパイプ１Ａと内側アーチパイプ１Ｂは、図４、図７、及び図９に示すように、谷部の連結ジョイント４と軒部の連結ジョイント５を介して、一定の間隔で谷桁２Ａと軒桁２Ｂに連結される。アーチパイプ１の間隔は、たとえば、１．５ｍとする。ただし、アーチパイプ１の間隔は１ｍ〜２ｍとすることができる。連棟農業用のハウスは、アーチパイプ１の間隔を狭くして、アーチ状ハウス１０の強度を高くできるが、間隔を狭くすると、材料コストと施工コストが高くなる。このため、材料コストや施工コストと強度を考慮して、好ましくは前述の範囲とする。さらに、互いに隣接して所定の間隔で配置されるアーチパイプ１同士は、複数の上側連結パイプ１３を介して互いに連結している。複数の上側連結パイプ１３は所定の間隔で配列されており、各々の上側連結パイプ１３は連結具１４を介して外側アーチパイプ１Ａに連結されている。複数の上側連結パイプ１３は水平な姿勢で外側アーチパイプ１Ａに連結されており、互いに隣接する外側アーチパイプ１Ａ同士を、平面視において平行に配置している。
【００３５】
アーチパイプ１が連結される桁２は、連棟しているアーチ状ハウス１０の間の谷桁２Ａと、アーチ状ハウス１０の外側にある軒桁２Ｂとからなり、谷桁２Ａには谷柱３Ａの上端が連結されて、軒桁２Ｂには側柱３Ｂの上端が連結される。すなわち、谷桁２Ａは谷柱３Ａで水平姿勢に支持されて、軒桁２Ｂは側柱３Ｂで水平姿勢に支持される。谷桁２ＡはＣ形鋼で、軒桁２Ｂは角パイプが使用される。
【００３６】
Ｃ形鋼の谷桁２Ａは、図６と図７に示すように、谷部の連結ジョイント４と谷柱３Ａをネジ止めして連結するために、開口部を橋渡しするように、第１の連結プレート２３と第４の連結プレート２７を溶接して固定している。第１の連結プレート２３は、図６と図７に示すように、谷部の連結ジョイント４に設けている第２の連結プレート２４にネジ止めされる。第４の連結プレート２７は、図６に示すように、谷柱３Ａの上端に固定している第５の連結プレート２８に積層してネジ止めされる。
【００３７】
角パイプの軒桁２Ｂは、図５と図９に示すように、これを貫通するボルト３５を介して、軒部の連結ジョイント５の第３の連結プレート３３に固定され、また、図５に示すように、側柱３Ｂの上端に固定している第６の連結プレート２８に固定される。
【００３８】
谷柱３Ａの上端は、図６に示すように、互いに隣接する谷部の連結ジョイント４同士のの固定プレート２１の間で谷桁２Ａに連結されて、隣接する谷柱３Ａの間隔をアーチパイプ１の間隔よりも広くしている。図６の連棟農業用のハウスは、アーチパイプ１の間、すなわち谷部の連結ジョイント４の間であって、その中央部に谷柱３Ａを連結している。さらに、谷柱３Ａの間隔をアーチパイプ１の間隔の２倍とするために、谷柱３Ａは、全ての谷部の連結ジョイント４の間に谷柱３Ａを連結することなく、谷部の連結ジョイント４の間は、谷柱３Ａを連結しない部分と、谷柱３Ａを連結する部分とを交互に設けている。谷柱３Ａの間隔を、アーチパイプ１の間隔の２倍とする連棟農業用のハウスは、アーチパイプ１の間隔を間隔を１．５ｍとして、谷柱３Ａの間隔は３ｍとなる。この連棟農業用のハウスは、農業用機械を自由に谷柱３Ａの間に通過できる。
【００３９】
図の連棟農業用のハウスは、谷柱３Ａの間隔をアーチパイプ１の２倍としているが、本発明は、谷柱の間隔を、必ずしもアーチパイプの間隔の２倍には特定せず、３倍以上とし、あるいはアーチパイプの間隔の整数倍ではない間隔とすることもできる。ただし、本発明の連棟農業用のハウスは、谷柱の間を農業用機械が自由に通過できるように、谷柱の間隔を、好ましくは２ｍよりも広く、さらに好ましくは２．５ｍよりも広くする。
【００４０】
図５に示す連棟農業用のハウスは、全ての軒部の連結ジョイント５の間に側柱３Ｂを連結しているので、アーチパイプ１の間隔は側柱３Ｂの間隔、すなわち軒部の連結ジョイント５の間隔となる。この連棟農業用のハウスは、谷柱３Ａの間隔をアーチパイプ１の間隔よりも広くするので、谷柱３Ａの間隔を軒部の連結ジョイント５の間隔よりも広く、あるいは側柱３Ｂの間隔よりも広くしている。
【００４１】
さらに、図に示す谷柱３Ａと側柱３Ｂは、下端に支持プレート４２を固定しており、この支持プレート４２を地面５０に埋設して固定している。支持プレート４２は、平らな金属板で、柱３に対して垂直な姿勢で、言い換えると、地面５０に対して水平な姿勢となるように固定している。このように、柱３の下端に支持プレート４２を固定する構造は、柱３の下端の面積を大きくして、下面にはたらく圧力を小さくできるので、連棟農業用のハウスの重みで柱３が地面５０に沈み込むのを有効に防止できる。また、地面５０に埋設される支持プレート４２は、柱３が地面５０から抜ける方向に持ち上げられるのを確実に阻止でき、連棟農業用のハウスが強風等により浮き上がるのを有効に防止できる。とくに、この構造は、従来のように、コンクリートの基礎を設けることなく、施工時間を短縮しながら、また低コストに施工しながら、柱３の下端を地中に強固に固定して連棟農業用のハウスを安定して支持できる特徴がある。ここで、柱３の下端に固定される支持プレート４２は、その面積を大きくすることで、より安定して連棟農業用のハウスを地面５０に固定できる。ただ、支持プレート４２は、面積を大きくするとコストが高くなる。したがってこれらのことを考慮して、支持プレート４２の面積は、６００ｃｍ２〜２５００ｃｍ２、好ましくは、９００ｃｍ２〜２０００ｃｍ２とする。
【００４２】
さらに、図３と図４に示す連棟農業用のハウスは、谷柱３Ａと側柱３Ｂの上部を梁７で連結している。図に示す梁７は、角パイプを使用している。角パイプである梁７は、その両端部を、谷柱３Ａと側柱３Ｂの上部に固定された連結プレート４３にネジ止めして固定される。連結プレート４３は、図６と図９に示すように、谷柱３Ａと側柱３Ｂの両側の側面に溶接等により固定されている。互いに対向する一対の連結プレート４３と角パイプである梁７を貫通するボルト４５をナット４６にねじ込んで、梁７の両端が谷柱３Ａと側柱３Ｂに固定される。さらに、梁７は、図３と図４に示すように、その中間部を連結ロッド４４を介して、上方のアーチパイプ１に連結している。
【００４３】
さらに、図４の連棟農業用のハウスは、連棟しているアーチ状ハウス１０の間に樋９を設けている。樋９は溝型で、図７と図１１に示すように、底板９Ａを軒桁２Ｂの上に載せてネジ止め等により固定している。樋９は、両側の側壁９Ｂを、谷部の連結ジョイント４に連結している外側アーチパイプ１Ａに沿う形状に傾斜させて、開口幅を上方に向かって次第に広くしている。
【００４４】
さらに、連棟農業用のハウスは、図７と図１１に示すように、２棟のアーチ状ハウス１０を連棟する谷部において、両側の透光性フィルム１２を巻き上げてハウス内を換気できるようにしている。図に示す連棟農業用のハウスは、谷部に配置される巻取軸４７に、アーチ状ハウス１０の外側に張設される透光性フィルム１２の一端を連結しており、この巻取軸４７に透光性フィルム１２を巻き取って、換気用の換気口４８を開口するようにしている。図１１に示すアーチ状ハウス１０は、アーチパイプ１の谷部側の上面において、透光性フィルム１２を固定する水平バー１６を固定しており、この水平バー１６の連結溝１６Ａに透光性フィルム１２を案内すると共に、連結溝１６Ａに挟着バー４１を圧入して、透光性フィルム１２の谷部側を巻取軸４７の上側において固定している。巻取軸４７は、樋９と平行に配置されており、その両端には、巻取軸４７を回転させる回転機構（図示せず）を連結している。この回転機構は、図示しないが、アーチ状ハウス１０の両端において、外側アーチパイプ１Ａに沿う軌跡上を移動できるように配設しており、透光性フィルム１２を巻き取る方向に巻取軸４７を回転させる状態では、外側アーチパイプ１Ａに沿って上方に移動して谷部に換気口４８を開口し、透光性フィルム１２を繰り出す方向に巻取軸４７を回転させる状態では、外側アーチパイプ１Ａに沿って下方に移動して換気口４８を閉塞するようにしている。さらに、図７と図１１に示す樋９は、両側の側壁９Ｂの上端に延長プレート４９を連結して、繰り出された透光性フィルム１２の下端部と重なる部分を設けている。これにより、透光性フィルム１２に沿って流下する雨水をハウス内に浸入させることなくスムーズに樋９に案内できるようにしている。延長プレート４９は、樋の側壁９Ｂに沿って延長された帯状の金属板で、連結部４９Ａを介して樋９の側壁９Ｂの上端部に連結されている。図に示す樋９は、延長プレート４９を連結するための連結溝９Ｃを、側壁９Ｂの上端縁に沿って設けている。延長プレート４９は、連結部９Ａが連結溝９Ｃに案内されて、樋９の側壁９Ｂに連結される。ただ、樋は、必ずしも側壁の上端に延長プレートを設ける必要はなく、アーチパイプの谷部側であって、側壁の上端から離れた位置に前述の水平バーを設けて、この水平バーと側壁の連結溝との間に固定張りフィルムを張設することもできる。
【００４５】
以上の連棟農業用のハウスは、２棟のアーチ状ハウス１０を連棟する谷部において、両側の透光性フィルム１２を巻き上げてハウス内を換気できるようにしている。ただ、連棟農業用のハウスは、アーチ状ハウスの天部（棟部）に天窓を設けて、この天窓を換気口としてハウス内を換気することもできる。この場合は、樋の側壁の上端縁に、両側に連棟しているアーチ状ハウスの透光性フィルムを連結して固定することもできる。
【産業上の利用可能性】
【００４６】
本発明の連棟農業用のハウスは、複数列のアーチ状ハウスを連棟する構造としながら、その内部に耕耘機やトラクターなどの農業用機械を自由に移動できる構造として、効率よく農作業できる。
【符号の説明】
【００４７】
１…アーチパイプ              １Ａ…外側アーチパイプ
１Ｂ…内側アーチパイプ
２…桁                        ２Ａ…谷桁
２Ｂ…軒桁
３…柱                        ３Ａ…谷柱
３Ｂ…側柱
４…谷部の連結ジョイント
５…軒部の連結ジョイント
６…サイドパイプ
７…梁
９…樋                        ９Ａ…底板
９Ｂ…側壁
９Ｃ…連結溝
１０…アーチ状ハウス
１１…骨組
１２…透光性フィルム
１３…上側連結パイプ
１４…連結具
１５…連結バー
１６…水平バー                １６Ａ…連結溝
１７…外側連結パイプ
１８…補強パイプ
１９…ジョイント
２１…固定プレート
２２…連結パイプ
２３…第１の連結プレート
２４…第２の連結プレート
２５…ボルト
２６…ナット
２７…第４の連結プレート
２８…第５の連結プレート
３１…片側固定プレート
３２…片側連結パイプ
３３…第３の連結プレート
３４…第６の連結プレート
３５…ボルト
３６…ナット
３７…連結金具
３８…Ｌ金具
３９…連結具
４１…挟着バー
４２…支持プレート
４３…連結プレート
４４…連結ロッド
４５…ボルト
４６…ナット
４７…巻取軸
４８…換気口
４９…延長プレート            ４９Ａ…連結部
５０…地面
９０…アーチ状ハウス
９１…アーチパイプ            ９１’…アーチパイプ
９３…柱部
９４…梁
９５…柱
【図１】
2014045681.tif 000003
【図２】
2014045681.tif 000004
【図３】
2014045681.tif 000005
【図４】
2014045681.tif 000006
【図５】
2014045681.tif 000007
【図６】
2014045681.tif 000008
【図７】
2014045681.tif 000009
【図８】
2014045681.tif 000010
【図９】
2014045681.tif 000011
【図１０】
2014045681.tif 000012
【図１１】
2014045681.tif 000013